(57)【要約】      （修正有）【課題】画像処理装置が印刷可能な状態となった後に、中断された処理を容易に再開させる。【解決手段】原稿を読み取って画像データへ変換するスキャナ部６０と、この画像データを印刷するプリンタ部７０と、プリンタ部７０の状態を監視する状態監視部５５と、状態監視部５５によってプリンタ部７０が印刷不可能な状態を検出したならば、この画像データに係るパスワードを生成するパスワード生成部５６と、パスワードとこの画像データとを関連付けて記憶するバッファ５３と、指定されたＰＣ３００にパスワードを送信するネットワーク制御部５１と、状態監視部５５によりプリンタ部７０が印刷可能な状態を検出したならば、このパスワードの入力を受け付ける操作パネル部８０とを有する画像処理装置は、パスワードの入力により、この画像データを印刷する。【選択図】図１
2012147254.tif 000002
【特許請求の範囲】
【請求項１】
原稿を読み取って画像情報へ変換する画像読取部と、
前記画像情報を印刷する印刷部と、
前記印刷部の状態を監視する状態監視部と、
前記状態監視部によって前記印刷部が印刷不可能な状態を検出したならば、前記画像情報に係る認証情報を生成する認証情報生成部と、
前記認証情報と前記画像情報とを関連付けて記憶する記憶部と、
指定された外部装置に前記認証情報を送信する認証情報送信部と、
前記状態監視部により前記印刷部が印刷可能な状態を検出したならば、前記認証情報の入力を受け付ける操作部とを有し、
前記認証情報の入力により、前記画像情報を印刷することを特徴とする画像処理装置。
【請求項２】
前記認証情報送信部は、指定された前記外部装置に前記認証情報と前記画像情報とを送信し、
前記操作部は、前記状態監視部により前記印刷部が印刷可能な状態を検出し、且つ前記外部装置から前記画像情報が送信されたならば、前記認証情報の入力を受け付けることを特徴とする請求項１記載の画像処理装置。
【請求項３】
前記認証情報生成部は、前記印刷部が前記画像情報を印刷中に、前記状態監視部によって前記印刷部が印刷不可能な状態を検出したならば、未印刷の画像情報に係る前記認証情報を生成し、
前記記憶部は、前記認証情報と前記未印刷の画像情報とを関連付けて記憶し、
前記認証情報の入力により、前記未印刷の画像情報を印刷することを特徴とする請求項１記載の画像処理装置。
【請求項４】
前記認証情報送信部は、指定された前記外部装置に前記認証情報と前記未印刷の画像情報とを送信し、
前記操作部は、前記状態監視部によって前記印刷部が印刷可能な状態を検出し、且つ前記外部装置から前記未印刷の画像情報が送信されたならば、前記認証情報の入力を受け付けることを特徴とする請求項３記載の画像処理装置。
【請求項５】
前記認証情報は、文字又は／及び数字からなる文字列であることを特徴とする請求項１〜４のいずれか１項に記載の画像処理装置。
【請求項６】
前記認証情報は、ジョブ番号とパスワードであることを特徴とする請求項５記載の画像処理装置。
【請求項７】
前記認証情報送信部は、電子メールによって前記外部装置に前記認証情報を送信することを特徴とする請求項１〜６のいずれか１項に記載の画像処理装置。
【請求項８】
前記認証情報送信部は、前記外部装置がアクセス可能な記憶装置への書き込みによって、前記外部装置に前記認証情報を送信することを特徴とする請求項１〜７のいずれか１項に記載の画像処理装置。
【請求項９】
前記認証情報送信部は、前記外部装置が有している共有フォルダへの書き込みによって、前記外部装置に前記認証情報を送信することを特徴とする請求項１〜７のいずれか１項に記載の画像処理装置。
【請求項１０】
前記印刷部が印刷不可能な状態とは、記録媒体が格納されていないこと、前記記録媒体に現像剤像を形成する画像形成ユニットの未装着を検知したこと、露光装置の未装着を検知したこと、現像剤を格納する現像剤容器の未装着を検知したこと、前記現像剤像を形成する前記現像剤の枯渇を検知したこと、前記記録媒体を搬送する搬送機構の異常を検知したこと、前記記録媒体の搬送位置を検出するセンサによって異常を検知したことのうちのいずれかであることを特徴とする請求項１〜９のいずれか１項に記載の画像処理装置。
【請求項１１】
印刷部が印刷可能な状態であるか否かを判断するステップと、
前記印刷部が印刷不可能な状態を検出したならば、画像情報に係る認証情報を生成するステップと、
指定された外部装置に前記認証情報を送信するステップと、
前記画像情報と前記認証情報とを関連付けて記憶するステップと、
前記印刷部が印刷可能な状態を検出したならば、前記認証情報の入力を受け付けるステップと、
前記認証情報が入力されたならば、前記画像情報を前記印刷部で印刷するステップと、
を有することを特徴とする画像処理方法。
【請求項１２】
請求項１１記載の画像処理方法は、更に、
指定された前記外部装置に前記認証情報と前記画像情報とを送信するステップと、
前記印刷部が印刷可能な状態を検出し、且つ前記外部装置から前記画像情報が送信されたならば、前記認証情報の入力を受け付けるステップと、
を有することを特徴とする画像処理方法。
【発明の詳細な説明】
【技術分野】
【０００１】
本発明は、画像読取機能と印刷機能とを有する画像処理装置、及び画像処理方法、特に印刷不可能になった場合の処理に関するものである。
【背景技術】
【０００２】
従来、画像処理装置、及び画像処理方法では、画像処理装置が印刷不可能となった場合、外部装置を介してユーザにその旨を通知するという技術が知られている。
【０００３】
特許文献１には、使用者が保持する携帯電話機等の外部処理装置と通信可能な画像処理装置に於いて、この画像処理装置のエラーメッセージ等の画像処理装置の状態を示す情報を、この外部処理装置に近距離データ通信部を介して送信する技術が記載されている。
【先行技術文献】
【特許文献】
【０００４】
【特許文献１】２００８−２３８５６３号公報
【発明の概要】
【発明が解決しようとする課題】
【０００５】
しかしながら、従来の画像処理装置及び画像処理方法では、画像処理装置が印刷不可能になったことを速やかに通知するのみであり、印刷可能状態に遷移した後に、中断された処理を容易に再開させることができないという課題があった。
【課題を解決するための手段】
【０００６】
本発明の画像処理装置は、原稿を読み取って画像情報へ変換する画像読取部と、前記画像情報を印刷する印刷部と、前記印刷部の状態を監視する状態監視部と、前記状態監視部によって前記印刷部が印刷不可能な状態を検出したならば、前記画像情報に係る認証情報を生成する認証情報生成部と、前記認証情報と前記画像情報とを関連付けて記憶する記憶部と、指定された外部装置に前記認証情報を送信する認証情報送信部と、前記状態監視部により前記印刷部が印刷可能な状態を検出したならば、前記認証情報の入力を受け付ける操作部とを有し、前記認証情報の入力により、前記画像情報を印刷することを特徴とする。
【０００７】
本発明の画像処理方法は、印刷部が印刷可能な状態であるか否かを判断するステップと、前記印刷部が印刷不可能な状態を検出したならば、画像情報に係る認証情報を生成するステップと、指定された外部装置に前記認証情報を送信するステップと、前記画像情報と前記認証情報とを関連付けて記憶するステップと、前記印刷部が印刷可能な状態を検出したならば、前記認証情報の入力を受け付けるステップと、前記認証情報が入力されたならば、前記画像情報を前記印刷部で印刷するステップとを有することを特徴とする。
【発明の効果】
【０００８】
本発明の画像処理装置及び画像処理方法によれば、次の（１），（２）のような効果がある。
【０００９】
（１）  原稿のコピー中に、画像処理装置が印刷不可能な状態になった場合でも原稿の読み取りを継続することが可能であり、且つ印刷可能状態へ復旧後に、印刷出来なかった原稿を改めて読み取らせる必要は無い。
【００１０】
（２）  未出力となっている原稿のコピーを印刷するには、認証情報の入力が必要である。よって、画像処理装置が印刷可能状態に復旧した後に、画像処理装置が未出力の原稿のコピーを自動で印刷することはなく、原稿のコピーを他人に見られることはない。
【図面の簡単な説明】
【００１１】
【図１】図１は、本発明の実施例１におけるデジタル複合機を示す概略の構成図である。
【図２】図２は、図１におけるプリンタ部を示す概略の構成図である。
【図３】図３は、図１の操作パネル部を示す概略の構成図である。
【図４】図４は、本発明の実施例１における印刷ジョブリストを示す図である。
【図５】図５は、本発明の実施例１におけるコピー動作を示すフローチャートである。
【図６】図６は、本発明の実施例１における読取継続の画面遷移を示す図である。
【図７】図７は、本発明の実施例１における電子メール送信処理を示すフローチャートである。
【図８】図８は、本発明の実施例１における印刷可能状態へ復旧したことを示す電子メールの例を示す図である。
【図９】図９は、本発明の実施例１における印刷再開動作を示すフローチャートである。
【図１０】図１０は、本発明の実施例１における印刷再開の画面遷移を示す図である。
【図１１】図１１は、本発明の実施例２におけるデジタル複合機を示す概略の構成図である。
【図１２】図１２は、本発明の実施例２における印刷ジョブデータを示す概略の構成図である。
【図１３】図１３は、本発明の実施例２における電子メール送信処理を示すフローチャートである。
【図１４】図１４は、本発明の実施例２における電子メール送信確認画面の例を示す図である。
【図１５】図１５は、本発明の実施例２における印刷ジョブデータが添付された電子メールの例を示す図である。
【図１６】図１６は、本発明の実施例２における印刷可能状態の復旧通知の電子メールの例を示す図である。
【図１７】図１７は、本発明の実施例２における印刷再開動作を示すフローチャートである。
【発明を実施するための形態】
【００１２】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１３】
（実施例１の構成）
図１は、本発明の実施例１におけるデジタル複合機を示す概略の構成図である。
デジタル複合機１０は、例えば、コピー機、プリンタ、ファクシミリ（以下「ＦＡＸ」という。）、スキャナ等の各種機能が統合されたＭＦＰ（Multi  Function  Peripheral）であり、画像情報としての画像データに対する種々の操作を行う画像処理装置である。デジタル複合機１０は、このデジタル複合機１０の画像読取部としてのスキャナ部６０と、このデジタル複合機１０の印刷部としてのプリンタ部７０と、このデジタル複合機１０の操作全般を制御する操作部としての操作パネル部８０とを有している。更にデジタル複合機１０は、ネットワーク２００への通信全般を制御するネットワーク制御部５１と、画像処理を行う画像処理部５２と、データを記憶する記憶部としてのバッファ５３と、ジョブ管理部５４と、プリンタ部７０の状態を監視する状態監視部５５と、認証情報である後述する図４に示すパスワード９２を生成する認証情報生成部としてのパスワード生成部５６と、電子メールを生成する電子メール作成部５７と、パスワード９２が一致するか否かを判定するパスワード判定部５８とを有している。
【００１４】
スキャナ部６０は、原稿を読み取って画像情報である画像データへ変換する機能を有している。画像処理部５２は、この画像データに対し、プリンタ部７０の印刷に適した画像処理を行い、後述する図４に示す印刷ジョブ９０を生成する機能を有している。印刷ジョブ９０は、原稿の画像を示す画像情報である。バッファ５３は、ＲＡＭ（Random  Access  Memory）やハードヂィスクドライブ等であり、印刷ジョブ９０等のデータを記憶する機能を有している。ジョブ管理部５４は、バッファ５３に記憶されている印刷ジョブ９０と、後述する図４に示すジョブ番号９１とパスワード９２とを関連付けて管理する機能を有している。
【００１５】
印刷部であるプリンタ部７０は、画像情報である印刷ジョブ９０をジョブ管理部５４から受信して印刷する。プリンタ部７０は更に、上位装置から受信したデータの印刷機能や、このデジタル複合機１０の状態を通知するレポート印刷機能を有している。
【００１６】
状態監視部５５は、プリンタ部７０の状態を常時監視し、印刷可能状態／印刷不可能状態のいずれであるかを判断してジョブ管理部５４に通知する。パスワード生成部５６は、印刷ジョブ９０を印刷するために必要なパスワード９２を生成してジョブ管理部５４に通知する。電子メール作成部５７は、ジョブ管理部５４からジョブ番号９１とパスワード９２とを受信し、指定された電子メールアドレスに対して、差出人がmfp100@abc.comである電子メールを生成する。ネットワーク制御部５１は、この電子メールの送信を行うほか、印刷データの受信と、宛先がmfp100@abc.comである電子メールの受信とを行う。パスワード判定部５８は、操作パネル部８０を使って入力されたパスワード９２が、印刷ジョブ９０を印刷するためのパスワード９２と一致しているか否かを判定する。ジョブ管理部５４は更に、操作パネル部８０に、各種設定画面を表示するように指示する。
【００１７】
デジタル複合機１０は、ネットワーク２００を介して、外部装置であるパーソナルコンピュータ（以下、「ＰＣ」という。）３００及びメールサーバ３０１と相互に通信可能に接続されている。
【００１８】
メールサーバ３０１は、ネットワーク２００に接続されているＰＣ３００やデジタル複合機１０等から送受信される電子メールを一時的に蓄える機能と、この電子メールを、外部装置に中継する機能とを有している。
【００１９】
ＰＣ３００は、図示しない表示装置とメールクライアントソフトウエアとを有している。このメールクライアントソフトウエアは、宛先がpc300@abc.comである電子メールを受信する機能と、差出人がpc300@abc.comである電子メールを送信する機能とを有している。
【００２０】
認証情報送信部である電子メール作成部５７とネットワーク制御部５１とは、宛先がpc300@abc.comである電子メールを送信することにより、メールサーバ３０１を介して、指定された外部装置であるＰＣ３００に、認証情報であるジョブ番号９１とパスワード９２とを送信する。
【００２１】
図２は、図１におけるプリンタ部を示す概略の構成図である。
プリンタ部７０は、タンデム方式のプリンタ装置であり、記録媒体としての記録用紙１００を供給する給紙部１１と、記録用紙１００に現像剤像であるトナー像を形成する画像形成部２０と、記録用紙１００にトナー像を定着させる定着装置４０と、記録用紙１００を排紙する用紙排出部とを有している。更にプリンタ部７０は、各ローラ類を回すための図示しないモータと、給紙搬送路１０１Ａや排出搬送路１０１Ｂへの各ローラへの動力伝達をオン／オフするクラッチと、後述する画像形成ユニット２２の帯電ローラ２４や転写ローラ２１等に２００Ｖ〜５０００Ｖの高電圧を供給する図示しない高圧電源と、回路やモータに５Ｖ直流や２４Ｖ直流を供給する図示しない低圧電源とを有している。
【００２２】
給紙部１１は、このプリンタ部７０の下部に装着された用紙カセット１１０と、用紙カセット１１０に格納されている記録用紙１００と、用紙カセット１１０内から１枚ずつ記録用紙１００を分離して取り出すためのホッピングローラ１２と、給紙ローラ１３ａ及びリタードローラ１３ｂと、給紙センサ１４と、一対のレジストローラ１５ａ，１５ｂと、書き出し位置センサ１６とを有している。
【００２３】
用紙カセット１１０は、複数の記録用紙１００を収容するカセットであり、プリンタ部７０の下部に装抜可能に取り付けられている。記録用紙１００は、モノクロ又はカラーの画像を記録するための所定の大きさの上質紙、再生紙、光沢紙、マット紙、又はＯＨＰ（OverHead  Projector）フィルム等である。
【００２４】
ホッピングローラ１２は、記録用紙１００に圧接して回転し、給紙搬送路１０１Ａの下流側には、給紙ローラ１３ａ及びリタードローラ１３ｂが、記録用紙１００を挟むように対向して配設され、その下流側には給紙センサ１４が設けられている。
【００２５】
レジストローラ１５ａ，１５ｂは、給紙センサ１４の給紙搬送路１０１Ａの下流側に記録用紙１００を挟むように対向して配設され、その下流側には書き出し位置センサ１６が設けられている。レジストローラ１５ａは、図示しないレジストモータによって駆動される。
【００２６】
画像形成部２０は、図の右側から黒色、イエロー色、マゼンタ色、及びシアン色の順に４台配設されている画像形成ユニット２２（＝２２−１〜２２−４）と、これら画像形成ユニット２２の下にそれぞれ配設されている転写ローラ２１（＝２１−１〜２１−４）と、ローラ３１，３２と、このローラ３１，３２に張架されている搬送ベルト３０とを有している。黒色、イエロー色、マゼンタ色、及びシアン色４色に対応した各画像形成ユニット２２は、画像情報にもとづく静電潜像を担持する感光体ドラム２３と、感光体ドラム２３を帯電させる帯電ローラ２４と、画像情報に対応した光を感光体ドラム２３の表面に照射するＬＥＤ（Light  Emitting  Diode）ヘッド２５と、感光体ドラム２３表面の静電潜像をトナーにより現像する現像ローラ２６と、トナーを現像ローラ２６に供給するトナー供給ローラ２７と、現像剤を格納する現像剤容器であるトナーカートリッジ２９と、図示しないトナー規制部材と、感光体ドラム２３に残留したトナーを掻き落とすクリーニング装置２８とを有している。
【００２７】
画像形成ユニット２２（＝２２−１〜２２−４）は、プリンタ部７０と分離して交換することが可能である。同様に、ＬＥＤヘッド２５（＝２５−１〜２５−４）及びトナーカートリッジ２９は、画像形成ユニット２２（＝２２−１〜２２−４）と分離して交換することが可能である。
【００２８】
搬送ベルト３０は、記録用紙１００を搬送すると共に、感光体ドラム２３に形成されたトナー像を記録用紙１００へ転写させる転写体である。搬送ベルト３０を介して、感光体ドラム２３と転写ローラ２１とは当接している。
【００２９】
感光体ドラム２３は、アルミニウム等から成る導電性基層の上に光導電層と電荷輸送層からなる感光層を備え、形状は円筒であり、回転可能に支持されて配設されている。感光体ドラム２３は、帯電ローラ２４と、転写ローラ２１と、現像ローラ２６とが当接し、クリーニング装置２８が接触するよう配設されている。感光体ドラム２３は、表面に電荷を蓄えることによって、トナー像を担持する像担持体として機能し、図の時計回りの方向に回転する。以下、画像形成ユニット２２の構成について感光体ドラム２３の回転方向順に説明する。
【００３０】
帯電ローラ２４は、導電性の金属シャフトがシリコーン等の半導電性ゴムによって被覆され、形状は円筒であり、感光体ドラム２３に圧接して回転可能に支持されて配設されている。帯電ローラ２４は、図示しない高圧電源によって帯電し、感光体ドラム２３に圧接して回転することにより、感光体ドラム２３に所定の電圧を印加し、よって表面に一様に電荷を蓄える。
【００３１】
ＬＥＤヘッド２５は、ＬＥＤアレイチップと、レンズアレイと、ＬＥＤ駆動素子とを有し、感光体ドラム２３の上方に配設されている。ＬＥＤヘッド２５は、画像情報に対応した光を感光体ドラム２３の表面に照射し、感光体ドラム２３の表面に静電潜像を形成する。
【００３２】
トナー供給ローラ２７は、導電性を有する金属シャフトがゴムによって被覆されて作られ、形状は円筒であり、現像ローラ２６に当接するよう配設されている。トナー供給ローラ２７は、図示しない高圧電源によって帯電し、現像ローラ２６に圧接することにより、現像ローラ２６にトナーを供給する。
【００３３】
現像ローラ２６は、導電性を有する金属シャフトが半導電ウレタンゴム材等によって被覆されて作られ、形状は円筒である。現像ローラ２６は、トナー供給ローラ２７と感光体ドラム２３とに当接し、図示しないトナー規制部材の先端部が接触するよう配設されている。現像ローラ２６は、図示しない高圧電源によって帯電し、トナー供給ローラ２７と圧接することによりトナーが供給される。
【００３４】
図示しないトナー規制部材は、ステンレス等で作られ、形状は板状であり、先端部が現像ローラ２６の表面に接触するよう配設されている。図示しないトナー規制部材は、現像ローラ２６の表面の一定量を越えたトナーを掻き取ることで、現像ローラ２６の表面に形成されるトナーの厚みを、常に均一となるように規制する。
【００３５】
クリーニング装置２８は、ゴム材等で作られ、感光体ドラム２３の表面に接触するよう配設されている。クリーニング装置２８は、感光体ドラム２３上に形成されたトナー像を記録用紙１００に転写した後において、感光体ドラム２３に残留したトナーを掻き取ってクリーニングする。
【００３６】
定着部である定着装置４０は、定着ローラ４１と、加圧ローラ４２と、温度測定部である温度検出センサ４３と、複数の熱源であるヒータ４４とを備えている。定着ローラ４１内部には、ハロゲンランプに代表されるヒータ４４が配設されている。定着部である定着装置４０は、熱源であるヒータ４４を備えている。定着ローラ４１の記録用紙１００の排出搬送路１０１Ｂの上流側には、サーミスタによって構成されている温度検出センサ４３が配設されており、この定着ローラ４１の表面温度を検出する。
【００３７】
用紙排出部は、定着搬送ローラ４５ａ，４５ｂと、排出ローラ４６ａ，４６ｂとを備えている。定着搬送ローラ４５ａ，４５ｂと、排出ローラ４６ａ，４６ｂは、定着装置４０の記録用紙１００の搬送方向に於ける上流に、記録用紙１００を挟むように、それぞれ対向して配設されており、それぞれ図示しないモータによって駆動される。媒体積載部４７は、排出ローラ４６ａ，４６ｂの記録用紙１００の搬送方向に配置されており、排出された記録用紙１００を積載する。
【００３８】
図３は、図１の操作パネル部を示す概略の構成図である。
操作パネル部８０は、設定項目や装置状態を表示する表示部８１と、数字や文字を入力するテンキー８２と、表示部８１上に表示されているカーソルを上下左右に移動させるカーソルキー８３と、カーソルが示している選択肢を確定する確定キー８４と、複数のモード切替ボタン８５と、各機能の実行を開始するスタートボタン８６と、実行中の動作を中断させるストップボタン８７を有している。
【００３９】
操作パネル部８０の右上に配置されているテンキー８２は、０〜９の数字キーと、アスタリスク“＊”キーと、シャープ“＃”キーとを有している。確定キー８４は、カーソルキー８３の中央部に配置されている。カーソルキー８３は、確定キー８４の上側に設けられた上方向キーと、確定キー８４の下側に設けられた下方向キーと、確定キー８４の右側に設けられた右方向キーと、確定キー８４の左側に設けられた左方向キーとを有している。カーソルキー８３は、表示部８１に表示されているカーソルを上下左右に移動させる機能を有している。確定キー８４は、カーソルによって選択されている項目を確定させる機能を有している。
【００４０】
操作パネル部８０の左下に配置されているモード切替ボタン８５は、コピーキーと、ＦＡＸキーと、スキャンキーと、設定キーとを有し、表示部８１上に表示されている機能画面や設定画面を切り替える機能を有している。
【００４１】
操作パネル部８０の右下に配置されているスタートボタン８６は、カラーボタンと白黒ボタンとを有している。カラーボタンは、カラー画像に係る処理の開始を指示する。白黒ボタンは、白黒画像に係る処理の開始を指示する。
【００４２】
図４は、本発明の実施例１における印刷ジョブリストを示す図である。
印刷ジョブリスト９５と印刷ジョブ９０（＝９０−１〜９０−９９）とは、バッファ５３に記憶されている。印刷ジョブリスト９５には、印刷ジョブ９０（＝９０−１〜９０−９９）を識別するためのジョブ番号９１と、各印刷ジョブ９０に対応しているパスワード９２と、バッファ５３に記憶されている印刷ジョブ９０（＝９０−１〜９０−９９）のアドレス９３とが関連付けて管理されている。パスワード９２は、パスワード生成部５６によって生成される。
【００４３】
（実施例１の動作）
図２を元に、本実施例１のプリンタ部７０の動作を説明する。
【００４４】
記録用紙１００は、給紙搬送路１０１Ａと排出搬送路１０１Ｂに沿って上流側から下流側に搬送される。用紙カセット１１０が最も上流側で、排出ローラ４６ａ，４６ｂが最も下流側である。
【００４５】
プリンタ部７０は、デジタル複合機１０の内部でジョブ管理部５４と状態監視部５５に接続されている。状態監視部５５は、プリンタ部７０の状態を常時監視し、印刷可能状態／印刷不可能状態のいずれであるかを判断してジョブ管理部５４に通知する。ジョブ管理部５４は、プリンタ部７０が印刷可能状態であったならば、印刷ジョブ９０をプリンタ部７０に転送する。
【００４６】
ジョブ管理部５４から印刷ジョブ９０の転送を受け印刷の指示を受けると、図示しないピックアップモータがホッピングローラ１２を回転させ、複数の記録用紙１００を１枚ずつ分離して、給紙搬送路１０１Ａの下流側に送る。各画像形成ユニット２２（＝２２−１〜２２−４）は、図の右側から黒色、イエロー色、マゼンタ色、及びシアン色の順に４台配設されている。これらの各画像形成ユニット２２（＝２２−１〜２２−４）は、給紙開始とほぼ同時にローラ類の回転を開始し、感光体ドラム２３に記録用紙１００が到達するまでに、この感光体ドラム２３を１周以上回転させる。
【００４７】
図示しないモータが給紙ローラ１３ａを回転させると、給紙ローラ１３ａに接触しているリタードローラ１３ｂは連れ回りする。ホッピングローラ１２から搬送されてきた記録用紙１００は、給紙ローラ１３ａとリタードローラ１３ｂに挟持搬送され、給紙センサ１４をオンする。そののち、記録用紙１００は、給紙搬送路１０１Ａの下流側のレジストローラ１５ａ，１５ｂに搬送されたのち、書き出し位置センサ１６をオンする。書き出し位置センサ１６がオンしたあと一定時間後に黒色、イエロー色、マゼンタ色、及びシアン色４色の各画像形成ユニット２２のＬＥＤヘッド２５が露光を開始し、それぞれの色に対応した静電潜像を感光体ドラム２３上に形成する。
【００４８】
記録用紙１００は、給紙搬送路１０１Ａの下流側の搬送ベルト３０に搬送される。ローラ３１が回転すると、ローラ３１，３２に張架されている搬送ベルト３０は駆動される。記録用紙１００は、搬送ベルト３０の駆動によって、黒色、イエロー色、マゼンタ色、及びシアン色の順に４台配設されている画像形成ユニット２２に順に搬送される。
【００４９】
黒色、イエロー色、マゼンタ色、及びシアン色の４台の各画像形成ユニット２２の感光体ドラム２３は、時計方向に回転すると共に、最初に帯電ローラ２４によって表面が一様に帯電する。一様に帯電した感光体ドラム２３は、ＬＥＤヘッド２５によってジョブ管理部５４から受信した画像情報に基づく光を照射され、静電潜像を形成する。静電潜像を形成した感光体ドラム２３は、トナー供給ローラ２７と現像ローラ２６とによってトナー像を現像する。トナー像を現像した感光体ドラム２３は、転写ローラ２１と共に搬送ベルト３０と記録用紙１００を挟持搬送する。更に、感光体ドラム２３は、転写ローラ２１に印加された＋１０００Ｖ〜＋３０００Ｖの電圧により、感光体ドラム２３上のトナーを記録用紙１００側に引き寄せ、トナー像を記録用紙１００へ転写する。トナー像が転写された記録用紙１００は、定着装置４０に送られてトナー像を定着する。感光体ドラム２３上に残留したトナーは、クリーニング装置２８によって掻き取られ、新たなトナー像の形成に備えられる。
【００５０】
黒色、イエロー色、マゼンタ色、及びシアン色の各トナー像が転写された記録用紙１００は、定着装置４０において、定着ローラ４１と加圧ローラ４２によって形成されたニップ領域を挟持搬送される。記録用紙１００は、ニップ領域において定着ローラ４１の熱と、加圧ローラ４２の付勢力による圧力が加えられ、トナーが溶融することによってトナー像が定着する。
【００５１】
トナー像が定着した記録用紙１００は、定着搬送ローラ４５ａ，４５ｂと、排出ローラ４６ａ，４６ｂの回転によって搬送されて、媒体積載部４７に排出される。
【００５２】
図５は、本発明の実施例１におけるコピー動作を示すフローチャートである。
ユーザがスキャナ部６０に原稿をセットして操作パネル部８０を用いてコピー開始の操作を行うと、処理が開始する。ステップＳ１０において、スキャナ部６０は、原稿を読み取って画像データヘ変換する。
【００５３】
ステップＳ１１において、画像処理部５２は、ユーザが期待する原稿のコピーが得られるよう、画像データに処理を行い、ＰＤＬ（Page  Description  Language）等のプリンタ部７０が印刷可能な書式の印刷ジョブ９０へと変換する。ステップＳ１２において、画像処理部５２は、印刷ジョブ９０を、バッファ５３に記憶させる。
【００５４】
ステップＳ１３において、ジョブ管理部５４は、プリンタ部７０が印刷可能な状態であるか否かを状態監視部５５に確認する。プリンタ部７０が印刷可能な状態であったならば、ステップＳ２７の処理を行う。プリンタ部７０が印刷不可能な状態であったならば、ステップＳ１４の処理を行う。プリンタ部７０が印刷不可能な状態とは、例えば、記録用紙１００が格納されていないこと、記録用紙１００に現像剤像を形成する画像形成ユニット２２（＝２２−１〜２２−４）のいずれかが未装着であること、露光装置であるＬＥＤヘッド２５（＝２５−１〜２５−４）のいずれかが未装着であること、トナーカートリッジ２９（＝２９−１〜２９−４）のいずれかが未装着であること、前記現像剤像を形成するトナーのいずれかの枯渇を検知したこと、記録用紙１００を搬送する搬送機構の異常を検知したこと、又は、記録用紙１００の搬送位置を検出するセンサである給紙センサ１４や書き出し位置センサ１６等によって異常を検知したことである。
【００５５】
ステップＳ２７において、スキャナ部６０は、原稿の読取が完了したか否かを判断し、まだ読取が完了していないならば、ステップＳ１０の処理に戻る。全ての原稿の読取りが完了した場合、ステップＳ２８において、読み取った画像データの印刷が完了するまで待ち、図５の処理を終了する。
【００５６】
ステップＳ１４において、ジョブ管理部５４は、プリンタ部７０への印刷ジョブ９０の送信を停止すると共に、操作パネル部８０の表示部８１に、後述する図６（ａ）に示す読取継続確認画面を表示させる。
【００５７】
ステップＳ１５において、ジョブ管理部５４は、ユーザが原稿の読取継続を選択したことを検知したならば、ステップＳ１６の処理を行う。ユーザが原稿の読取継続を選択しないことを検知したならば、ステップＳ２９において、印刷ジョブ９０を破棄し、図５の処理を終了する。
【００５８】
ステップＳ１６において、ジョブ管理部５４は、操作パネル部８０の表示部８１に、後述する図６（ｂ）に示す電子メールアドレス一覧画面を表示する。電子メールアドレス一覧画面には、予めデジタル複合機１０に登録されている複数の電子メールアドレスが一覧表示されている。ステップＳ１７において、ジョブ管理部５４は、電子メールアドレスのいずれかが選択されるまで待つ。
【００５９】
ステップＳ１８において、スキャナ部６０は、原稿の読取を再開して画像データを生成する。ステップＳ１９において、画像処理部５２は、画像データを処理して印刷ジョブ９０を生成し、ステップＳ２０において、この印刷ジョブ９０をバッファ５３に記憶させる。
【００６０】
ステップＳ２１において、スキャナ部６０は、原稿の読取が完了したか否かを判断し、まだ読取が完了していないならば、ステップＳ１８の処理に戻る。全ての原稿の読取りが完了した場合、ステップＳ２２の処理を行う。
【００６１】
ステップＳ２２において、ジョブ管理部５４は、操作パネル部８０に、後述する図６（ｃ）に示すパスワード設定確認画面を表示するよう制御し、ステップＳ２３において、操作パネル部８０は、パスワード９２の設定が選択されなかったならば、図５の処理を終了する。この場合には、デジタル複合機１０が印刷可能状態に復旧した後、自動的にバッファ５３に記憶された印刷ジョブ９０の印刷が再開される。
【００６２】
ステップＳ２４において、パスワード生成部５６は、ジョブ管理部５４からの要求に応じて、パスワード９２を生成する。パスワード９２は、アルファベットと数字が混在している８桁の文字列である。
【００６３】
ステップＳ２５において、後述する図７に示す電子メール送信処理を行う。
ステップＳ２６において、ジョブ管理部５４は、ジョブ番号９１と、パスワード生成部５６が生成したパスワード９２と、バッファ５３に記憶されている印刷ジョブ９０のアドレス９３とを関連付けて記憶する。
【００６４】
認証情報生成部であるパスワード生成部５６は、プリンタ部７０が画像データを印刷中に、状態監視部５５によって印刷不可能な状態を検出したならば、未印刷の画像情報である印刷ジョブ９０に係るパスワード９２を生成し、バッファ５３は、ジョブ番号９１とパスワード９２と前記未印刷の画像情報である印刷ジョブ９０とを関連付けて記憶し、ジョブ番号９１とパスワード９２の入力により、前記未印刷の画像情報である印刷ジョブ９０を印刷する。
【００６５】
図６（ａ）〜（ｃ）は、本発明の実施例１における読取継続の画面遷移を示す図である。
【００６６】
図６（ａ）に示す読取継続確認画面は、画面上部に「Ｋトナーがなくなりました。Ｋトナーを交換するまで印刷できません。原稿の読み取りを継続しますか？」の文字列が表示されている。読取継続確認画面は更に、画面中央部に、「はい」と「いいえ」の選択肢が、カーソルで選択可能に表示されている。カーソルキー８３の押下により「はい」の選択肢が選択され、確定キー８４が押下されることにより、図６（ｂ）に示す電子メールアドレス一覧画面に遷移する。カーソルキー８３の押下により「いいえ」の選択肢が選択され、確定キー８４が押下されることにより、印刷ジョブ９０を破棄してコピー動作を終了する。
【００６７】
図６（ｂ）に示す電子メールアドレス一覧画面は、画面上部に「電子メールアドレスを選択してください。印刷可能状態になったら電子メールで通知されます。」の文字列が表示されている。電子メールアドレス一覧画面は更に、画面下部に、複数の電子メールアドレスがカーソルで選択可能に表示されている。カーソルキー８３の押下により所定の電子メールアドレスが選択されたのち、確定キー８４が押下されることにより、デジタル複合機１０の印刷ジョブ９０に係る電子メールの送信先が設定される。図６（ｂ）においては、「pc300@abc.com」が、カーソルキーで選択された状態である。
【００６８】
図６（ｃ）に示すパスワード設定確認画面は、画面上部に「原稿の読取を継続します。復旧後の出力条件としてパスワードを設定しますか？」の文字列が表示されている。パスワード設定確認画面は更に、画面中央部に、「はい」と「いいえ」の選択肢が、カーソルで選択可能に表示されている。カーソルキー８３の押下により「はい」の選択肢が選択され、確定キー８４が押下されることにより、デジタル複合機１０は、パスワード９２を生成し、復旧後の出力条件として設定する。カーソルキー８３の押下により「いいえ」の選択肢が選択され、確定キー８４が押下されることにより、復旧後の出力条件にパスワード９２は設定されなくなる。
【００６９】
図７は、本発明の実施例１における電子メール送信処理を示すフローチャートである。
【００７０】
ステップＳ４０において、状態監視部５５は、プリンタ部７０の状態を監視し、ステップＳ４１において、プリンタ部７０が印刷不可能な状態から、印刷可能な状態に復旧するまで待つ。
【００７１】
ステップＳ４２において、状態監視部５５はジョブ管理部５４へ印刷可能状態に復旧したことを通知する。
【００７２】
ステップＳ４３において、電子メール作成部５７は、ジョブ管理部５４からの要求に応じて、ジョブ番号９１とパスワード９２とが本文に記載されている電子メールデータを生成する。
【００７３】
ステップＳ４４において、ネットワーク制御部５１は、生成された電子メールデータを、メールサーバ３０１を介して、電子メールアドレス一覧画面で指定された電子メールアドレスへ送信する。本実施例１では、電子メールアドレスpc300@abc.comに送信するものとする。
【００７４】
図８は、本発明の実施例１における印刷可能状態へ復旧したことを示す電子メールの例を示す図である。
【００７５】
この電子メールには、差出人と、宛先と、件名と、本文とが記載されている。
差出人には、デジタル複合機１０から送信されたことを示すmfp100@abc.comが記載されている。宛先には、ＰＣ３００のメールクライアントソフトウエアに送信したことを示すpc300@abc.comが記載されている。件名には「印刷可能となりました。」が記載されている。本文には、「下記ジョブ番号とパスワードを入力すると、コピー結果が出力されます。」の文字列が表示されている。この文字列に続いて「ジョブ番号：」の文字列と、未印刷の画像情報に係る認証情報であるジョブ番号９１を示す「01」の文字列が表示されている。更に、「パスワード：」の文字列と、パスワード９２を示す「ab012345」の文字列とが記載されている。この認証情報は、アルファベットの文字及び／又は数字で構成されている。
【００７６】
ユーザは、この電子メールに記載されているジョブ番号９１とパスワード９２とをデジタル複合機１０の操作パネル部８０から入力すると、バッファ５３に記憶されている印刷ジョブ９０の処理が開始し、未印刷の画像情報を印刷することが可能となる。
【００７７】
図９は、本発明の実施例１における印刷再開動作を示すフローチャートである。
状態監視部５５により印刷可能な状態を検知し、且つユーザが所定の操作を行うと、処理が開始する。ステップＳ５０において、ジョブ管理部５４は、操作パネル部８０に、後述する図１０（ａ）に示すジョブ番号とパスワード入力画面を表示するよう制御する。
【００７８】
ユーザは、このジョブ番号とパスワード入力画面において、テンキー８２と、カーソルキー８３と、確定キー８４とを用いて、ジョブ番号９１とパスワード９２を入力可能である。
【００７９】
ステップＳ５１において、操作パネル部８０は、ジョブ番号９１とパスワード９２が入力されるまで待つ。
【００８０】
ステップＳ５２において、パスワード判定部５８は、入力されたジョブ番号９１とパスワード９２が、ジョブ管理部５４で管理されているジョブ番号９１とパスワード９２と一致するかどうかを判定する。一致したならばステップＳ５４の処理を行う、一致しなかったならばステップＳ５６の処理を行う。
【００８１】
ステップＳ５４において、ジョブ管理部５４は、バッファ５３に記憶されている印刷ジョブ９０を、プリンタ部７０へ送信する。
【００８２】
ステップＳ５５において、プリンタ部７０が、印刷ジョブ９０の印刷を完了すると、図９の処理は終了する。
【００８３】
ステップＳ５６において、ジョブ管理部５４は、操作パネル部８０に、後述する図１０（ｂ）に示すジョブ不一致画面を表示するよう制御する。操作パネル部８０は、「再入力」と「終了」のいずれかの選択肢が選択されるまで待つ。「再入力」の選択肢が選択されたならば、ステップＳ５０の処理に戻り、「終了」の選択肢が選択されたならば、図９の処理を終了する。
【００８４】
図１０（ａ），（ｂ）は、本発明の実施例１における印刷再開の画面遷移を示す図である。
【００８５】
図１０（ａ）に示すジョブ番号とパスワード入力画面は、画面上部に「ジョブ番号とパスワードを入力してください。」の文字列が表示されている。ジョブ番号とパスワード入力画面は更に、画面中央部に、「ジョブ番号」の文字列とジョブ番号９１の入力フィールドとが設けられ、その下には「パスワード」の文字列とパスワード９２の入力フィールドとが設けられている。ジョブ番号９１は、例えば「01」の文字列であり、２桁の数字からなる文字列で構成されている。パスワード９２は、例えば「ab012345」の文字列であり、アルファベットの文字又は／及び数字が混在した８桁の文字列で構成されている。
【００８６】
図１０（ｂ）に示すジョブ不一致画面は、画面上部に「ジョブ番号とパスワードに対応する印刷ジョブが見つかりません。」の文字列が表示されている。ジョブ不一致画面は更に、画面中央部に、「再入力」と「終了」の選択肢が、カーソルで選択可能に表示されている。カーソルキー８３の押下により「再入力」の選択肢が選択され、確定キー８４が押下されることにより、図１０（ａ）に示すジョブ番号とパスワード入力画面に再び遷移する。カーソルキー８３の押下により「終了」の選択肢が選択され、確定キー８４が押下されることにより、図９に示す印刷再開動作を終了する。
【００８７】
（実施例１の効果）
本実施例１のデジタル複合機１０及び画像処理方法によれば、次の（Ａ），（Ｂ）のような効果がある。
【００８８】
（Ａ）  原稿のコピー中に、デジタル複合機１０が印刷不可能な状態になった場合でも原稿の読み取りを継続することが可能であり、且つ印刷可能状態へ復旧後に、印刷出来なかった原稿を改めて読み取らせる必要は無い。
【００８９】
（Ｂ）  未出力となっている原稿のコピーを印刷するにはパスワード９２の入力が必要である。よって、デジタル複合機１０が印刷可能状態に復旧した後に、デジタル複合機１０が未出力の原稿のコピーを自動で印刷することはなく、原稿のコピーを他人に見られることはない。
【実施例２】
【００９０】
（実施例２の構成）
図１１は、本発明の実施例２におけるデジタル複合機を示す概略の構成図であり、実施例１を示す図１中の要素と共通の要素には共通の符号が付されている。
【００９１】
本発明の実施例２のデジタル複合機１０Ａは、図１に示す実施例１のデジタル複合機１０と同一の構成を有し、更に印刷ジョブデータ９６を生成するジョブデータ生成部５９を有している。ジョブデータ生成部５９が生成した後述する図１２に示す印刷ジョブデータ９６は、ジョブ管理部５４を介して電子メール作成部５７に送信される。
【００９２】
図１２は、本発明の実施例２における印刷ジョブデータを示す概略の構成図である。
【００９３】
印刷ジョブデータ９６は、印刷ジョブ９０と、印刷ジョブ９０を識別するためのジョブ番号９１と、印刷ジョブ９０のサイズを示すデータサイズ９４とを有している。印刷ジョブデータ９６の先頭には、ジョブ番号９１が配置されている。ジョブ番号９１に続いて、印刷ジョブ９０とデータサイズ９４とが順に配置されている。
【００９４】
（実施例２の動作）
図１３は、本発明の実施例２における電子メール送信処理を示すフローチャートである。
【００９５】
処理が開始すると、ステップＳ６０において、ジョブ管理部５４は、操作パネル部８０に、図１４に示す送信確認画面を表示させるよう制御する。
【００９６】
ステップＳ６１において、操作パネル部８０は、「はい」か「いいえ」が選択されるまで待つ。「はい」が選択されたならば、ステップＳ６２の処理を行い、「いいえ」が選択されたならば、図１３の処理を終了する。
【００９７】
ステップＳ６２において、ジョブデータ生成部５９は、ジョブ管理部５４の要求に応じ、印刷ジョブデータ９６を生成する。
【００９８】
ステップＳ６３において、電子メール作成部５７は、ジョブ管理部５４の要求に応じ、印刷ジョブデータ９６を添付した電子メールデータを生成する。
【００９９】
ステップＳ６４において、ネットワーク制御部５１は、生成された電子メールデータを、メールサーバ３０１を介してＰＣ３００へ送信し、図１３の処理を終了する。
【０１００】
図１４は、本発明の実施例２における電子メール送信確認画面の例を示す図である。
【０１０１】
電子メール送信確認画面は、画面上部に、「印刷ジョブデータを電子メール送信しますか？装置が印刷可能状態へ復旧後、添付の印刷ジョブデータを装置へ送信し、未取得ページの印刷を行ってください。」の文字列が表示されている。電子メール送信確認画面は更に、画面中央部に、「はい」と「いいえ」の選択肢が、カーソルで選択可能に表示されている。
【０１０２】
カーソルキー８３の押下により「はい」の選択肢を選択し、確定キー８４を押下することにより、印刷ジョブデータ９６を電子メールで送信する。カーソルキー８３の押下により「いいえ」の選択肢を選択し、確定キー８４を押下することにより、図１３の処理を終了する。
【０１０３】
図１５は、本発明の実施例２における印刷ジョブデータが添付された電子メールの例を示す図である。
【０１０４】
この電子メールには、差出人と、宛先と、添付と、件名と、本文とが記載されている。差出人には、デジタル複合機１０Ａから送信されたことを示すmfp100@abc.comが記載されている。宛先には、ＰＣ３００のメールクライアントソフトウエアに送信したことを示すpc300@abc.comが記載されている。添付には、Printjob.prnファイルが添付されていることを示すPrintjob.prnが記載されている。件名には、「印刷ジョブデータ添付」の文字列が記載されている。本文には、「装置が印刷可能状態となったことを通知する電子メールを受信したら、添付ファイルを送信してください。」の文字列が表示されている。この電子メールには更に、印刷ジョブデータ９６であるPrintjob.prnファイルが添付されている。
【０１０５】
図１６は、本発明の実施例２における印刷可能状態の復旧通知の電子メールの例を示す図である。
【０１０６】
実施例２でのデジタル複合機１０Ａが印刷不可能な状態から印刷可能状態に復旧した場合、実施例１と同様の動作に加えて、印刷可能状態へ復旧したことを通知する電子メールを、指定されたメールアドレスに送信する。
【０１０７】
この電子メールには、差出人と、宛先と、件名と、本文とが記載されている。
差出人には、デジタル複合機１０Ａから送信されたことを示すmfp100@abc.comが記載されている。宛先には、ＰＣ３００のメールクライアントソフトウエアに送信したことを示すpc300@abc.comが記載されている。件名には、「印刷可能となりました。」の文字列が記載されている。本文には、「装置が印刷可能状態へ復旧しました。受信済みの印刷ジョブデータを装置へ送信し、下記に記載されているジョブ番号とパスワードを入力すると、コピー結果が出力されます。」の文字列と、「ジョブ番号：01」の文字列と、「パスワード：ab012345」の文字列とが記載されている。
【０１０８】
図１７は、本発明の実施例２における印刷再開動作を示すフローチャートであり、実施例１を示す図９中の要素と共通の要素には共通の符号が付されている。
【０１０９】
状態監視部５５により印刷可能な状態を検知し、外部装置であるＰＣ３００から印刷ジョブ９０のファイルをデジタル複合機１０Ａに送信し、且つユーザが所定の操作を行うと、処理が開始する。
【０１１０】
ステップＳ７０において、ネットワーク制御部５１は、印刷ジョブデータ９６を受信する。
【０１１１】
ステップＳ７１において、ジョブ管理部５４は、ネットワーク制御部５１から印刷ジョブデータ９６を受信する。
【０１１２】
ステップＳ７２において、ジョブ管理部５４は、この印刷ジョブ９０のサイズと、データサイズ９４の値が一致しているかを確認する。一致していればステップＳ５０の処理を行い、一致していなければ図１７の処理を終了する。
【０１１３】
ステップＳ５０〜Ｓ５７の処理は、実施例１を示す図９中のステップＳ５０〜５７の処理と同様である。
【０１１４】
（実施例２の効果）
本実施例２のデジタル複合機１０Ａ及び画像形成方法によれば、多量の原稿をコピー中に印刷不可能な状態となった場合において、印刷ジョブ９０を全てデジタル複合機１０Ａの装置内に記憶しなくても良い。よって、バッファ５３の容量の少ない低価格のデジタル複合機１０Ａでも実現可能という効果を奏する。
【０１１５】
（変形例）
本発明は、上記実施例に限定されず、種々の利用形態や変形が可能である。この利用形態や変形例としては、例えば、次の（ａ）〜（ｄ）のようなものがある。
【０１１６】
（ａ）  実施例１，２では、画像処理装置としてのデジタル複合機１０，１０Ａの例を説明した。しかし、これに限定されず、コピー機能及び電子メール送信機能を有しているＦＡＸ装置への適用も可能である。
【０１１７】
（ｂ）  実施例１，２のデジタル複合機１０，１０Ａでは、スキャナ部６０によって原稿を読み取って画像情報である画像データへ変換し、画像処理部５２によって印刷ジョブ９０を生成し、プリンタ部７０によって印刷ジョブ９０を印刷した。しかし、これに限定されず、原稿を読み取って直接に印刷ジョブ９０を生成するようにスキャナ部６０を構成しても良く、更に画像データを直接に印刷するようにプリンタ部７０を構成しても良い。
【０１１８】
（ｃ）  実施例１では、アルファベットの文字と数字とが混在する８桁のパスワード９２を例として使用した。しかし、これに限定されず、アルファベットの文字と数字以外に、漢字やカタカナや平仮名等に代表される非アルファベットの文字の利用、及び記号の利用も可能であり、更に８桁以外の桁数の利用も可能である。
【０１１９】
（ｄ）  実施例２では、認証情報送信部は、指定された外部装置であるＰＣ３００に、電子メールの添付ファイルとして、画像情報である印刷ジョブ９０をＰＣ３００に送信した。しかし、これに限定されず、ＰＣ３００がアクセス可能な記憶装置であるファイルサーバに印刷ジョブ９０を送信することにより、指定された外部装置であるＰＣ３００に送信しても良い。この場合には、更に電子メールによって、認証情報であるジョブ番号９１及びパスワード９２と、前記ファイルサーバを示す情報を送信する。更に、ＰＣ３００が有している共有フォルダに印刷ジョブ９０を書き込むことにより、指定された外部装置であるＰＣ３００に送信しても良い。この場合には、更に電子メールによって、認証情報であるジョブ番号９１及びパスワード９２と、前記共有フォルダを示す情報を送信する。
【符号の説明】
【０１２０】
１０，１０Ａ  デジタル複合機
５１  ネットワーク制御部
５２  画像処理部
５３  バッファ
５４  ジョブ管理部
５５  状態監視部
５６  パスワード生成部
５７  電子メール作成部
５８  パスワード判定部
５９  ジョブデータ生成部
６０  スキャナ部
７０  プリンタ部
８０  操作パネル部
８１  表示部
８２  テンキー
８３  カーソルキー
８４  確定キー
８５  モード切替ボタン
８６  スタートボタン
８７  ストップボタン
９０  印刷ジョブ
９１  ジョブ番号
９２  パスワード
９３  アドレス
９４  データサイズ
９５  印刷ジョブリスト
９６  印刷ジョブデータ
１００  記録用紙
１０１Ａ  給紙搬送路
１０１Ｂ  排出搬送路
１１０  用紙カセット
３００  ＰＣ
２００  ネットワーク
３０１  メールサーバ
【図１】
2012147254.tif 000003
【図２】
2012147254.tif 000004
【図３】
2012147254.tif 000005
【図４】
2012147254.tif 000006
【図５】
2012147254.tif 000007
【図６】
2012147254.tif 000008
【図７】
2012147254.tif 000009
【図８】
2012147254.tif 000010
【図９】
2012147254.tif 000011
【図１０】
2012147254.tif 000012
【図１１】
2012147254.tif 000013
【図１２】
2012147254.tif 000014
【図１３】
2012147254.tif 000015
【図１４】
2012147254.tif 000016
【図１５】
2012147254.tif 000017
【図１６】
2012147254.tif 000018
【図１７】
2012147254.tif 000019